(57)【要約】【課題】複数個の蓋付内容器により各種の惣菜類を保存することができ、この蓋付内容器により保存しておいた総菜類を内蓋体を外して内容器体のまま容器収納器体内に収納することができ、弁当を作るための時間や手間を大幅に軽減することができ、使用の利便性並びに融通性を高めることができる。【解決手段】内容器体１ａと、内容器体を収納可能な開口部を有する容器収納器体２及びご飯を収納可能な開口部を有する飯容器体３と、容器収納器体と飯容器体とを積み重状に結合可能な一対の結合部材５を有すると共に上段の容器体の開口部に被嵌可能な外蓋体４とからなり、内容器体の開口部に被嵌可能な内蓋体１ｂを形成し、内蓋体及び内容器体からなる蓋付内容器１を複数個形成してなる。【選択図】図１
0003135618.tif 000002
【実用新案登録請求の範囲】
【請求項１】
内容器体と、該内容器体を収納可能な開口部を有する容器収納器体及びご飯を収納可能な開口部を有する飯容器体と、該容器収納器体と該飯容器体とを積み重状に結合可能な一対の結合部材を有すると共に上段の容器体の開口部に被嵌可能な外蓋体とからなり、上記内容器体の開口部に被嵌可能な内蓋体を形成し、該内蓋体及び内容器体からなる蓋付内容器を複数個形成してなる弁当箱。
【請求項２】
少なくとも上記内容器体は電子レンジ及び冷蔵冷凍保存対応であることを特徴とする請求項１記載の弁当箱。
【考案の詳細な説明】
【技術分野】
【０００１】
本考案は米飯類及び惣菜類を収納して携帯する際に用いられる弁当箱に関するものである。
【背景技術】
【０００２】
従来、この種の弁当箱として、米飯類を収納可能な開口部を有する容器体と、惣菜類を収納可能な仕切片を有する容器体と、該二つの容器体を積み重状に結合可能な一対の結合部材を有すると共に上段の容器体の開口部に被嵌可能な蓋体とからなる構造のものが知られている。
【特許文献１】実開平１−１７０１２９号公報
【考案の開示】
【考案が解決しようとする課題】
【０００３】
しかしながらこの従来構造の場合、例えば夕食の残り等の惣菜類を前日に皿や盛付け容器内に入れた状態や他の蓋付容器内に入れた状態で冷蔵又は冷凍しておき、皿や盛付け容器、蓋付容器にいれておいた総菜類を上記容器体内に移し替えて詰入したり、解凍してから詰入したりすることになり、このため、朝の忙しいとき、総菜類を容器体内に詰入したり、解凍しなければならず、弁当を作るための時間が掛かり、弁当作りに手間が掛かってしまうことがあるという不都合を有している。
【課題を解決するための手段】
【０００４】
本考案はこれらの不都合を解決することを目的とするもので、本考案のうちで、請求項１記載の考案は、内容器体と、該内容器体を収納可能な開口部を有する容器収納器体及びご飯を収納可能な開口部を有する飯容器体と、該容器収納器体と該飯容器体とを積み重状に結合可能な一対の結合部材を有すると共に上段の容器体の開口部に被嵌可能な外蓋体とからなり、上記内容器体の開口部に被嵌可能な内蓋体を形成し、該内蓋体及び内容器体からなる蓋付内容器を複数個形成してなる弁当箱にある。
【０００５】
又、請求項２記載の考案は、少なくとも上記内容器体は電子レンジ及び冷蔵冷凍保存対応であることを特徴とするものである。
【考案の効果】
【０００６】
本考案は上述の如く、請求項１記載の考案にあっては、複数個の蓋付内容器により各種の惣菜類を保存することができ、この蓋付内容器により保存しておいた総菜類を内蓋体を外して内容器体のまま容器収納器体内に収納することができ、弁当を作るための時間や手間を大幅に軽減することができ、使用の利便性並びに融通性を高めることができる。
【０００７】
又、請求項２記載の考案にあっては、上記内容器体内に総菜類を詰入したままの状態で電子レンジにより解凍したり、冷蔵したり、冷凍することができ、一層使用の利便性を高めることができる。
【考案を実施するための最良の形態】
【０００８】
図１乃至図４は本考案の実施の形態例を示し、１は蓋付内容器であって、この場合、図１の如く、合成樹脂製の総菜類Ｓを収納可能な内容器体１ａ及び内容器体１ａの開口部に密封被嵌可能な合成樹脂製の内蓋体１ｂからなり、この蓋付内容器１は複数個、この場合、二個乃至六個形成されている。
【０００９】
２は容器収納器体、３は飯容器体であって、図３の如く、この容器収納器体２は上記複数個の内容器体１ａのうち、二個の内容器体１ａを収納可能に形成され、この容器収納器体２の底部に飯容器体３の上部に嵌合載置可能な嵌合部２ａ及び開口部周縁に上突縁部２ｂが形成され、かつ、この飯容器体３は合成樹脂製にして開口部周縁に上突縁部３ａが形成され、米飯類Ｇを収納可能に形成され、飯容器体３の上方に容器収納器体２を積み重ね可能に形成されている。
【００１０】
４は外蓋体であって、この場合、図２の如く、蓋付内容器１の内蓋体１ｂを外した内容器体１ａを収納した容器収納器体２と飯容器体３とを積み重状に結合可能な一対の結合部材５・５を有すると共に上段の容器体、この場合、容器収納器体２の開口部に密封被嵌可能に形成されている。
【００１１】
この場合、図３の如く、上記外蓋体４は容器収納器体２の開口部に被嵌可能な蓋板４ａの両側辺部に一対の結合部材５・５を軸５ａ及び軸受５ｂによりヒンジ結合し、結合部材５・５の先端部に上記飯容器体３の上突縁部３ａに係合可能な係合凸部５ｃが形成され、密閉パッキン４ｂを備えてなり、この係合凸部５ｃと飯容器体３の上突縁部３ａとの係合により容器収納器体２と飯容器体３とを積み重状に結合すると共に上段の容器体である容器収納器体２の開口部に被嵌して閉塞可能に構成している。
【００１２】
この実施の形態例は上記構成であるから、例えば、前日に惣菜類Ｓを複数個の蓋付内容器１の内容器体１ａ内に詰入して内蓋体１ｂで内容器体１ａの開口部を被嵌閉口した状態で冷蔵又は冷凍保存し、そして、当日、蓋付内容器１から内蓋体１ｂを取り外し、図４の如く総菜類Ｓの詰入された内容器体１ａを容器収納器体２内に収納し、飯容器体３内にご飯Ｇを詰入し、図３の如く、この総菜類Ｓの詰入された内容器体１ａを収納した容器収納器体２と飯容器体３とを積み重ねて上段の容器体の開口部を外蓋体４により被嵌閉口すると共に一対の結合部材５・５により両容器体２・３結合して使用することになり、したがって、複数個の蓋付内容器１により各種の惣菜類Ｓを保存することができ、この蓋付内容器１により保存しておいた総菜類Ｓを内蓋体１ｂを外して内容器体１ａのまま容器収納器体２内に収納することができ、弁当を作るための時間や手間を大幅に軽減することができ、使用の利便性並びに融通性を高めることができる。
【００１３】
又、この場合、上記内容器体１ａ内に総菜類Ｓを詰入したままの状態で電子レンジにより解凍したり、冷蔵したり、冷凍することができ、一層使用の利便性を高めることができる。
【００１４】
尚、本考案は上記実施の形態例に限られるものではなく、蓋付内容器１、内容器体１ａ、容器収納器体２、飯容器体３、外蓋体４、結合部材５の構造や形態、材質等は適宜設計して変更されるものである。
【００１５】
以上、所期の目的を充分達成することができる。
【図面の簡単な説明】
【００１６】
【図１】本考案の実施の形態例の分離斜視図である。
【図２】本考案の実施の形態例の全体側断面図である。
【図３】本考案の実施の形態例の全体側断面図である。
【図４】本考案の実施の形態例の分離斜視図である。
【符号の説明】
【００１７】
Ｇ    御飯類
Ｓ    総菜類
１    蓋付内容器
１ａ    内容器体
１ｂ    内蓋体
２    容器収納器体
３    飯容器体
４    外蓋体
５    結合部材
【図１】
0003135618.tif 000003
【図２】
0003135618.tif 000004
【図３】
0003135618.tif 000005
【図４】
0003135618.tif 000006